(57)【要約】【課題】地震等の揺れや振動に対して継手機能を損なうことがなく、耐震性とマンホールの維持管理に優れた内副管用管継手および内副管用取付具をを提供する。【解決手段】本発明の内副管用管継手１は、マンホールの上部に取付けられ、横方向の一端部に流入管１７用の受け口２を有し、この受け口２に続く横方向の管部３から縦方向に曲がる下向き管部４の下端部に、内副管５に接続するためのゴム製管状継手部材６を備えた構成である。【選択図】  図１
2004156337.tif 000002
【特許請求の範囲】
【請求項１】
マンホールの上部に流入した下水を、マンホールの下部に導く内副管用の管継手であって、横方向の一端部に流入管用の受け口を有し、該受け口に続く前記横方向の管部から縦方向に曲がる下向き管部の下端部に、内副管接続用のゴム製管状継手部材を備えたことを特徴とする内副管用管継手。
【請求項２】
前記横方向の管部の延長部の端部に清掃口が突設され、この清掃口の蓋体は、突設された前記清掃口の管部を覆う形状に形成され、前記蓋体が前記清掃口に着脱自在に、かつ抜け止め防止手段により装着されてなる請求項１に記載の内副管用管継手。
【請求項３】
前記横方向の管部の延長部の端部には清掃口が、前記下向き管部の上方部には蓋付きの点検孔がそれぞれ突設されており、前記清掃口の蓋体は、前記清掃口に着脱自在に、かつ抜け止め防止手段により装着され、前記清掃口に摺動状に挿嵌される蓋体の突出状の先端部は、前記点検孔を塞ぐとともにその先端面は、下方に向けて円弧状に形成された曲面を有して前記清掃口の管部を覆う形状に形成されてなる請求項１に記載の内副管用管継手。
【請求項４】
前記受け口につながる横方向の管部が途中で切断され、この切断部周縁部を覆って接続する連結管により連結されてなる請求項１〜請求項３に記載の内副管用管継手。
【請求項５】
内副管をマンホール内部に固定するための取付具であって、マンホールの内壁に間隔をあけて立設される二本の支柱と、この支柱に両端基部が取付られ、内副管の外周に沿って密着できるゴム層を設けた半円状のバンドからなる内副管用取付具。
【発明の詳細な説明】
【０００１】
【発明の属する技術分野】
本発明は、地震等による揺れや振動に対して継手機能を損なうことのない優れた安定性を有するコンクリート製マンホールの内副管用管継手および内副管用取付具に関するものである。
【０００２】
【従来の技術】
マンホールに使用される従来の内副管用管継手の代表例を図７に示す。
この内副管用管継手は、マンホールの側壁に貫通固定された横方向の第一接続部ａと、マンホールの内側の内副管ｂに接続される縦方向の第二接続部ｃとからなり、横方向の第一接続部ａのマンホール内部側端部には、蓋ｄが、また縦方向の第二接続部の上端部には掃除口ｅが形成された構成である（特許文献１参照）。
【０００３】
【特許文献１】
実開平６−６０６４１号公報、実願平５−１７７２（明細書５頁［０００８］、図１）
【０００４】
【発明が解決しようとする課題】
特許文献１に見られるような代表的構成の内副管用管継手は、いずれも第二接続部ｃと内副管ｂとの接続が、接着剤等により接合一体化させるもので、その取付強度は、専ら接着剤の接着力に頼るものであった。
そのため、地震等による内副管用管継手と内副管との接続部にかかる揺れや振動等により、接続部が破損したり内副管が管継手から外れたりするなどの危険があり、また、内副管若しくは内副管用管継手の何れかを取りかえる場合にも、接続部が接合一体化されているため、両者を共に取替えて、マンホール内で設置し直さなければならないという無駄があった。
【０００５】
本発明の課題は、地震等の揺れや振動に対して継手機能を損なうことがなく、耐震性とマンホールの維持管理に優れた内副管用管継手および内副管用取付具を提供することにある。
【０００６】
【課題を解決するための手段】
上記課題を解決するために、本発明の内副管用管継手は、マンホールの上部に取付けられ、横方向の一端部に流入管用の受け口を有し、この受け口に続く横方向の管部から縦方向に曲がる下向き管部の下端部に、内副管に接続するためのゴム製管状継手部材を備えた構成である。
また、本発明の内副管用管継手は、前記横方向の管部の延長部の端部に清掃口が突設され、この清掃口の蓋体は、突設された前記清掃口の管部を覆う形状に形成され、前記蓋体が前記清掃口に着脱自在に、かつ抜け止め防止手段により装着されている。
【０００７】
さらに、本発明の内副管用管継手は、前記横方向の管部の延長部の端部には清掃口が、前記下向き管部の上方部には蓋付きの点検孔がそれぞれ突設されており、前記清掃口の蓋体は、前記清掃口に着脱自在に、かつ抜け止め防止手段により装着され、さらに前記清掃口に摺動状に挿嵌される蓋体の突出状の先端部は、前記点検孔を塞ぐとともにその先端面は、下方に向けて円弧状に形成された曲面を有して前記清掃口の管部を覆う形状に形成されている。
【０００８】
前記した本発明の内副管用管継手発明は、いずれも、前記受け口につながる横方向の管部が途中で切断され、この切断部周縁部を覆って接続する連結管により連結される構成であってもよい。
また、本発明の内副管用取付具は、内副管をマンホール内部に固定するための取付具であって、マンホールの内壁に間隔をあけて立設される二本の支柱と、この支柱に両端基部が取付られ、内副管の外周に沿って密着できるゴム層を設けた半円状のバンドからなる。
【０００９】
【発明の実施の形態】
以下、本発明の実施の形態を添付図面に基づいて説明する。
図１は、本発明の内副管用管継手の一例を示す模式的な部分切欠断面図であり、図２は、本発明の内副管用管継手の他の例を示す模式的な部分切欠断面図である。図３は、図１の内副管用管継手をマンホールに適用した状態の模式的な部分切欠断面図である。図４は、本発明の内副管用取付具の一例を示す図であって、マンホールの内壁に設置した状態の部分的な模式図であり、図５は、図４の内副管用取付具の一部材を示す平面図であり、図６は、図５の部材に取付けるゴム層の模式的な拡大断面図である。
【００１０】
図１に示すように、本発明の内副管用管継手１は、マンホールの上部に流入した下水を、マンホールの下部に導く内副管に連結するための管継手である。
この内副管用管継手１は、流入管用の受け口２を横方向の一端部に有し、この受け口２に続く横方向の管部３から縦方向に曲がる下向き管部４の下端部に、内副管５に接続するためのゴム製管状継手部材６を備えた構成である。
【００１１】
このゴム製管状継手部材６は、マンホール内に設置される内副管５を本発明の内副管用管継手１に接続するためのもので、中央部が蛇腹７に形成されて伸縮性および柔軟性に富む構造となっており、内副管５の先端開口部８をゴム製管状継手部材６の開口部に差し込み、その接合部外周面を締付部材９で緊締することにより、内副管５は本発明の内副管用管継手１に、柔軟かつ強固に連結される。
【００１２】
上記締付部材９は、ステンレス等の金属製のリング体を、内副管５とゴム製管状継手部材６の接合部外周面上にあてがい、緊締させる構成のものが好ましいが、同様な機能を有するものであればどのようなものを使用しても良い。
また、ゴム製管状継手部材６は、本発明の内副管用管継手１の本体Ａに、締付部材９’で着脱自在に取付けてもよいし、接着剤により接合一体化させるようにして取付けてもよい。
【００１３】
また、ゴム製管状継手部材６の蛇腹７と、ゴム製管状継手部材６に差込んだ内副管５の開口部８とを結ぶ内部壁面１０を、開口部８に向かって下る傾斜面に形成すると、下向き管部４から蛇腹７に流れ込んだ水流を、内副管５にスムーズに送出できるので好ましい。
内副管５をゴム製管状継手部材６で連結することにより、地震等の振動によって、内副管５とゴム製管状継手部材６の連結部に加わる振動や衝撃、変位を蛇腹７で吸収できるので、従来のような内副管用管継手と内副管との接続が、接着剤等により接合一体化したものと異なり、耐震性が各段に向上する。
また、締付部材９を用いることにより、内副管用管継手１と内副管５は、取付け取外しが容易となり、施工後のマンホール内の維持管理が容易になる。
【００１４】
本発明の内副管用管継手１は、横方向の管部３の延長部端部に清掃口１１を突設し、この清掃口１１に着脱できる蓋体１２を設けるようにすることができる。
清掃口１１は、蓋体１２を開閉させて内副管用管継手１の管内に滞留した汚物等を取り除き、清掃するためのものである。
蓋体１２は、清掃口１１に摺動状に挿脱できる筒状の先端部１３を有し、この先端部１３の外周面には周凹溝１４が設けられ、この周凹溝１４にリング状の止水パッキンが嵌合されて、止水性（水密性）が保持できるようになっている。
【００１５】
また、蓋体１２の先端部１３の先端面は、清掃口１１に蓋をした状態で、清掃口１１の管部１６を覆う形状に形成され、横方向の管部３から下向き管部４に至る流路の外周面に凹凸等が生じることのないようになっている。
このような構成とすることにより、横方向の管部３から下向き管部４に至る流路内に汚物等が滞留することがなくなる。
【００１６】
蓋体１２は、流入管１７から横方向の管部３に流入した汚水等による水圧で、清掃口１１から抜け落ちることのないように、清掃口１１と蓋体１２とを貫通する取付孔を設け、この取付孔に、ロックピン１８が挿脱できるようにすることができる。
【００１７】
図２に示す本発明の内副管用管継手２０は、基本的には、図１に示す内副管用管継手１と同じであるが、この内副管用管継手１と異なり、蓋体２３の突出筒状の先端部２４が、長く形成されており、清掃口１１を蓋体２３で閉めると、先端部２４の外周面で、下向き管部４の上方部に突設された蓋付きの点検孔２２が塞がれるようになっている。
【００１８】
また、先端部２４の先端面は、下方に向けて湾曲面２５に形成されており、この湾曲面２５により、内副管用管継手２０に、受け口２から横方向の管部３に流入してきた汚水は、その流れをスムーズに下向きに曲げることができる。
先端部２４は、湾曲面２５が清掃口１１の管部１６を覆うため、横方向の管部３から下向き管部４に至る管内に凹凸部分が生じることがなく、この部分に汚物等が滞留することがない。
また、本発明の内副管用管継手２０は、前記した内副管用管継手１と同様に、清掃口１１の蓋体２３は、前記清掃口１１に着脱自在に構成され、かつ蓋体２３の先端部２４の外周面には、リング状の止水パッキンが嵌合された周凹溝１４が設けられて、管継手内の止水性（水密性）が保持できるようになっている。
【００１９】
本発明の内副管用管継手は、図１に示すように、流入管１７用の受け口２につながる横方向の管部３を途中で切断して、本体Ａと分離させた構成とし、連結管２６を用いて、管部３の切断周縁部分２７と２８を接続して連結できる構成としてもよい。
この連結は、管状の連結管２６の両端開口に、管部３の切断周縁部分２７と２８を、対向状に挿入して接着剤により接合一体化させて行う。
【００２０】
このように横方向の管部３を分離した構成とすることにより、図３に示すように、マンホール３０に本発明の内副管用管継手１を取付けるに際し、マンホール３０の外側に配置した受け口２に続く横方向の管部３と、マンホール３０の内側に配置した内副管用管継手１の本体Ａとを、マンホール側壁にあけた孔を介して、連結管２６を用いて取付けることができるので、マンホール内の管継手の新規施工や施工後の取替え時の作業性が向上する。
【００２１】
本発明の内副管用管継手に接続される内副管３は、図４〜図６に示すような取付具４０を用いてマンホール３０の内壁３１に取付け固定することができる（図３参照）。
この取付具４０は、二本の支柱４１と、この支柱４１に両端基部が取付けられる一対の中央部が半円状のバンド４２から構成され、これらの半円状のバンド４２、４２の湾曲面間に内副管３を挟持状に取付けるようになっている。
内副管は、取付具４０の二本の支柱４１とバンド４２によって、マンホール３０の内壁から離間して固定されるため、マンホールに加わる震動、衝撃が二本の支柱４１で緩和される。
【００２２】
バンド４２の内副管３に当接する湾曲面には、ゴム層４３を設けて、内副管３の外周面にバンド４２が弾力的に密着して固定できるようにするとよい。
この場合、ゴム層４３は、バンド４２の成形時に一体形成するようにしてもよく、図６に示したような略断面Ｃ字形に形成したゴムカバー体を別体に成形し、このゴムカバー体でバンド４２を覆うように嵌着させて形成するようにしてもよい。
ゴム層４３により、内副管３は、取付具４０によって、弾力的にかつ密着して固定されるため、耐震性がさらに高められる。
【００２３】
この取付具４０を用いたマンホール内への内副管の取付けは、以下ように行われる。
まず、図４に示すように、取付アンカー４４等を用いて、二本の支柱４１をマンホールの内壁３１に間隔をあけて立設する。
次に、バンド４２の両端基部にある取付孔４５を、それぞれ支柱４１に通し、一対のバンド４２、４２の湾曲面で内副管３の外周面を挟持するように配置して、支柱４１の長さ方向の所望位置で、支柱４１の外周面に形成されたネジ部を利用してナット４６等を用いて締結固定する。
バンド４２は、通常、ステンレス等の不銹鋼板製の板状体が用いられる。
【００２４】
本発明の内副管用管継手は、硬質ポリ塩化ビニル、ポリエチレン、ポリプロピレン、ＡＢＳ、ＰＥＴ等の合成樹脂やこれらの成型品をリサイクルしたもの等が使用でき、また、前記したゴム製管状継手部材や止水パッキンあるいはゴム層には、ＮＢＲ、ＳＢＲ、ＥＰＤＭ、ＣＲ、シリコーンゴム等のゴム系材料及び軟質塩化ビニル樹脂、ＥＶＡ等の弾性を有する合成樹脂が使用できる。
【００２５】
【発明の効果】
本発明の内副管用管継手よれば、設置したマンホールに地震等による揺れや衝撃等が加わっても、内副管用管継手から内副管が外れることがなく、また、管継手内部の流れをスムーズにして耐久性に優れた継手機能を保持できる。さらに、内副管用管継手と内副管は簡単に着脱できるので、狭いマンホール内での新設、取替作業が容易となり、マンホール内の維持管理が容易になる。
【図面の簡単な説明】
【図１】本発明の内副管用管継手の一例を示す模式的な部分切欠断面図である。
【図２】本発明の内副管用管継手の他の例を示す模式的な部分切欠断面図である。
【図３】図１の内副管用管継手をマンホールに適用した状態の模式的な部分切欠断面図である。
【図４】本発明の内副管用取付具の一例を示す図であって、マンホールの内壁に設置した状態の模式図である。
【図５】図４の内副管用取付具の一部材を示す平面図である。
【図６】図５の部材に取付けるゴム層の模式的な拡大断面図である。
【図７】従来の代表的な内副管用管継手を示す部分断面図である。
【符号の説明】
１、２０  内副管用管継手
２  受け口
３  横方向の管部
４  下向き管部
５  内副管
６  ゴム製管状継手部材
７  蛇腹
８  内副管の先端開口部
９、９’  締付部材
１０  蛇腹の内部壁面
１１  清掃口
１２、２３  蓋体
１３、２４  蓋体の先端部
１４  周凹溝
１６  清掃口の管部
１７  流入管
１８  ロックピン
２２  点検孔
２５  湾曲面
２６  連結管
２７、２８  管部の切断周縁部分
３０  マンホール
３１  マンホールの内壁
４０  取付具
４１  支柱
４２  バンド
４３  ゴム層
４４  取付アンカー
４５  取付孔
４６  ナット
【図１】
2004156337.tif 000003
【図２】
2004156337.tif 000004
【図３】
2004156337.tif 000005
【図４】
2004156337.tif 000006
【図５】
2004156337.tif 000007
【図６】
2004156337.tif 000008
【図７】
2004156337.tif 000009